(57)【要約】      （修正有）【課題】折り畳み脚のテーブル天板に対する取付け部分が補強された構造を備えた耐久性の高い折り畳み脚付きテーブルを提供する。【解決手段】折り畳み脚付きテーブルは天板２と左右の脚を備えている。各脚の上端部分３１ａは、蝶番６を介して、天板裏面２１に取り付けられており、天板裏面２１に折り畳まれた折り畳み位置から天板裏面２１から起立した起立位置までの間を旋回可能である。蝶番６における天板裏面２１にネジ止めされている天板側ブラケット６２には補強用ブラケット５が重ねられ、当該補強用ブラケット５が固定ネジ８によって天板裏面２１に固定されている。【選択図】図３
0003187779.tif 000002
【実用新案登録請求の範囲】
【請求項１】
天板と、
脚と、
脚上端部側面と天板裏面にそれぞれネジ止めされ、前記天板裏面に折り畳まれた折り畳み位置から前記天板裏面から起立した起立位置までの間を旋回可能な状態で、前記脚を前記天板に連結している蝶番と、
補強用ブラケットと、
前記蝶番における前記天板裏面にネジ止めされている天板側ブラケットを挟み、前記補強用ブラケットを前記天板裏面に固定している固定ネジと、
を有していることを特徴とする折り畳み脚付きテーブル。
【請求項２】
前記天板および前記脚は木製の天板および脚である請求項１に記載の折り畳み脚付きテーブル。
【請求項３】
前記補強用ブラケットは、前記蝶番の前記天板側ブラケットよりも広幅の矩形輪郭の金属板であり、その四隅部分にネジ挿通孔が形成されており、
前記ネジ挿通穴に通した４本の固定ネジによって、前記補強用ブラケットが前記天板裏面に固定されている、
請求項１または２に記載の折り畳み脚付きテーブル。
【請求項４】
前記脚を前記折り畳み位置および前記起立位置に保持可能な脚保持具を有し、
前記脚保持具は、バネ力によって前記脚を前記起立位置および前記折り畳み位置のいずれか一方に保持し、バネ力に逆らう方向に手動操作されると前記脚から外れて、前記脚が前記折り畳み位置あるいは前記起立位置に旋回可能になる、
請求項１ないし３のうちのいずれか一つの項に記載の折り畳み脚付きテーブル。
【考案の詳細な説明】
【技術分野】
【０００１】
本考案は折り畳み脚付きテーブルに関し、特に、折り畳み脚のテーブル天板に対する取付け部分の補強構造に関する。
【背景技術】
【０００２】
折り畳み脚付きテーブルとしては、木製の天板の裏面の左右に木製の折り畳み脚が取り付けられた構成のものが知られている。このような折り畳み脚付きテーブルは特許文献１および特許文献２において提案されている。
【０００３】
これらの折り畳み脚付きテーブルでは、木製の天板の裏面の左右に、蝶番によって左右の脚の上端部が連結されている。左右の脚は、蝶番のヒンジピンを中心として、天板裏面に折り畳まれた折り畳み位置から垂直に起立した起立位置に旋回させることができる。また、天板裏面の左右には脚固定機構が取り付けられており、バネ力によって、脚を起立位置および折り畳み位置に保持可能となっている。
【先行技術文献】
【特許文献】
【０００４】
【特許文献１】実用新案登録第３０５６８２２号公報
【特許文献２】実用新案登録第３１６０６２５号公報
【考案の概要】
【考案が解決しようとする課題】
【０００５】
従来の折り畳み脚付きテーブルでは蝶番によって脚が天板裏面に連結されている。使用時にテーブルに加わる水平方向の力は蝶番を介して脚に伝わる。特許文献１に開示のテーブルは、左右の脚の間に前板（幕板）を架け渡して横からの力に対する左右の脚の剛性を確保している。
【０００６】
しかしながら、特許文献２に開示のテーブルでは、前板が左右の脚の間に架け渡されていないので、水平な力がテーブルに作用すると大きく左右に振れやすい。このような脚の左右の振れによって、蝶番における天板裏面に固定されている天板側フランジの固定ネジに緩みが生じる。
【０００７】
特に、木製テーブルの場合には、固定ネジが左右に揺れると、ネジ孔が所謂バカ孔になってしまい、固定ネジを締め直しても、テーブルと脚の上端部をテーブル裏面に対して緩みなく連結することができなくなってしまう。この結果、折り畳み脚付きテーブルの寿命が短くなってしまうので好ましくない。
【０００８】
本考案の課題は、この点に鑑みて、折り畳み脚のテーブル天板に対する取付け部分が補強された構造を備えた耐久性の高い折り畳み脚付きテーブルを提供することにある。
【課題を解決するための手段】
【０００９】
上記の課題を解決するために、本考案の折り畳み脚付きテーブルは、
天板と、
脚と、
脚上端部側面と天板裏面にそれぞれネジ止めされ、天板裏面に折り畳まれた折り畳み位置から天板裏面から起立した起立位置までの間を旋回可能な状態で、脚を天板に連結している蝶番と、
補強用ブラケットと、
蝶番における前記天板裏面にネジ止めされている天板側ブラケットを挟み、補強用ブラケットを天板裏面に固定している固定ネジと、
を有していることを特徴としている。
【００１０】
本考案の折り畳み脚付きテーブルでは、蝶番の天板側ブラケットに補強用ブラケットを重ね、当該補強用ブラケットを天板裏面にネジ止めしている。これにより、蝶番の天板側ブラケットのネジ止め部分に加わる力を低減でき、当該ネジ止め部分の緩みの発生を回避できる。これにより、耐久性の高い折り畳み脚付きテーブルを実現できる。
【００１１】
ここで、天板および脚が木製の天板および脚の場合には、金属製の折り畳み脚付きテーブルの場合に比べて、蝶番の天板側ブラケットのネジ止め部分に緩みが発生しやすい。したがって、本考案は、木製の折り畳み脚付きテーブルに対して特に有効である。
【００１２】
また、本考案において、補強用ブラケットは、蝶番の天板側ブラケットよりも広幅の矩形輪郭の金属板であり、その四隅部分にネジ挿通孔が形成されており、ネジ挿通穴に通した４本の固定ネジによって、補強用ブラケットが天板裏面に固定されていることが望ましい。
【００１３】
広幅の補強用ブラケットを用いれば、蝶番の天板側ブラケットの外側位置において、補強用ブラケットを天板裏面にネジ止めすることができる。よって、既存の折り畳み脚付きテーブルにおいて、蝶番の天板側ブラケットのネジ止め部分に緩みが発生した場合に、当該天板側ブラケットの上から補強用ブラケットを取り付けて補強することができる。したがって、既存の折り畳み脚付きテーブルにおける天板に対する脚取付け部分の補強を簡単に行うことができるので、極めて便利である。
【００１４】
次に、折り畳み脚付きテーブルにおいては、一般に、脚を折り畳み位置および起立位置に保持可能な脚保持具が備わっている。このような脚保持具として、バネ力によって脚を起立位置および折り畳み位置のいずれか一方に保持し、バネ力に逆らう方向に手動操作されると脚から外れて、脚が折り畳み位置あるいは起立位置に旋回可能になる構成のものを用いることができる。
【図面の簡単な説明】
【００１５】
【図１】本考案を適用した折り畳み脚付きテーブルを示す部分斜視図である。
【図２】折り畳み脚付きテーブルの天板と脚の取り合い部分を示す部分斜視図、および、その側面図である。
【図３】天板裏面に脚を連結している蝶番の補強構造を示す部分斜視図、および、その側面図である。
【図４】蝶番から補強用ブラケットを分離させた状態を示す部分斜視図である。
【考案を実施するための形態】
【００１６】
以下に、図面を参照して本考案を適用した折り畳み脚付きテーブルの実施の形態を説明する。なお、以下の実施の形態は本考案を木製の天板および木製の脚を備えたテーブルに適用した場合のものである。本考案は、木製の天板、脚に限らず、合板製のもの、樹脂製のもの等にも適用可能である。
【００１７】
図１は本実施の形態に係る折り畳み脚付きテーブルを下側から見た場合の斜視図である。この図に示すように、折り畳み脚付きテーブル１（以下、単に「テーブル１」と呼ぶ。）は、一定の厚さの長方形の木製の天板２と、この天板２の裏面２１（以下、「天板裏面２１」と呼ぶ。）における長辺方向の左右の両端近傍に、折り畳み可能にそれぞれ取り付けた左右の脚３（図１において一方の脚のみを示す。）を備えている。また、脚３のそれぞれを移動しないように保持している脚保持具４と、脚３の天板裏面２１に対する２か所の取付け部分のそれぞれを補強している補強用ブラケット５を備えている。
【００１８】
脚３は矩形枠状の脚であり、テーブル前後方向に一定間隔を開けて平行に延びる前側縦枠材３１、後側縦枠材３２、これらの枠材３１、３２の上端部分をテーブル前後方向に連結している上側連結枠材３３、および、これらの枠材３１、３２の下端面に架け渡した下側連結枠材３４から構成されている。前後の縦枠材３１、３２の上端部は、それぞれ、蝶番６を介して、天板裏面２１に取り付けられている。蝶番６のヒンジピンを中心として、脚３は、図１に示す天板裏面２１から垂直に延びる起立位置から天板裏面２１の側に倒れた折り畳み位置までの間を旋回可能である。なお、図１において想像線で示すように、前側縦枠材３１の前側の側面および後側縦枠材３２の後側の側面の上端側の部位には、長辺方向に幕板７を架け渡し可能となっている。
【００１９】
図２（ａ）は一方の脚３と天板裏面２１との取り合い部分を示す部分斜視図であり、図２（ｂ）はその側面図である。これらの図を参照して説明すると、脚保持具４は、脚３を図２において実線で示す起立位置、および、天板裏面２１まで倒された折り畳み位置にバネ力によって保持可能である。この脚保持具４は、その後端側の部位において天板裏面２１に固定した支持ブラケット４１に取り付けた支軸４２を中心として天板裏面２１に対して接近および離れる方向に旋回可能である。また、先端にはテーブル下側から脚３の上側連結枠材３３に係合可能なフック４３が形成されている。さらに、脚保持具４におけるフック４３と支軸４２の間の部位と、天板裏面２１に固定した支持ブラケット４１との間には、引張コイルバネ４４が引張状態で架け渡されている。
【００２０】
脚保持具４は、起立位置にある脚３の上側連結枠材３３に対してテーブル下側からバネ力によって係合し、脚３を起立位置に保持する。また、脚保持具４における支軸４２よりも後側の操作部４５をバネ力に逆らって天板裏面２１の側に押し込むと、フック４３が脚３から外れて、脚３を天板裏面２１に折り畳むことが可能になる。脚３が天板裏面２１に折り畳まれた状態で、脚保持具４の操作部４５に加えていた力を開放すると、バネ力によって脚保持具４が天板裏面２１の側に旋回して、そのフック４３と支軸４２の間の部位によって折り畳まれた脚３を天板裏面２１の側に押し付けた状態になる。これにより、脚３は折り畳み位置に保持される。
【００２１】
図３（ａ）は脚３を天板裏面２１に連結している一方の蝶番６および補強用ブラケット５を中心に示す部分斜視図であり、図３（ｂ）はその側面図である。図４は脚３を天板裏面２１に連結している他方の蝶番６および、ここから外した状態の補強用ブラケット５を示す部分斜視図である。
【００２２】
これらの図を参照して説明すると、脚３の前後の縦枠材３１、３２の上端部分３１ａ、３２ａを天板裏面２１に連結している蝶番６のそれぞれは、上端部分３１ａ、３２ａの側面にネジ止めした矩形の脚側ブラケット６１と、天板裏面２１にネジ止めした矩形の天板側ブラケット６２と、これらの間を回転可能に連結しているヒンジ部６３を備えている。脚側ブラケット６１は３本の固定ネジ６４によって脚３の側に固定されている。図４に示すように、天板側ブラケット６２も同様に３本の固定ネジ６５によって天板裏面２１に固定されている。
【００２３】
天板側ブラケット６２と天板裏面２１との連結を補強している補強用ブラケット５のそれぞれは、一定厚さの矩形輪郭をした金属板からなる。補強用ブラケット５は、天板側ブラケット６２を挟み、天板裏面２１に対して複数本、本例では４本の固定ネジ８によって固定されている。
【００２４】
本例の補強用ブラケット５は、蝶番６の天板側ブラケット６２よりも広幅の矩形輪郭の金属板であり、その四隅部分にネジ挿通孔５１が形成されている。すなわち、補強用ブラケット５のテーブル前後方向の幅は天板側ブラケット６２よりも広く、テーブル左右方向の長さは天板側ブラケット６２とほぼ同一である。補強用ブラケット５のテーブル前後方向の両側部分は天板側ブラケット６２からテーブル前後方向に突出しており、補強用ブラケット５の四隅部分に形成されたネジ挿通孔５１は天板側ブラケット６２に対してテーブル前後方向に僅かに外れた位置にある。
【００２５】
よって、ネジ挿通孔５１に固定ネジ８のそれぞれを通し、これらの固定ネジ８を天板裏面２１から天板２にねじ込み固定することができる。これにより、蝶番６の天板側ブラケット６２の天板２に対する取付け部分が、補強用ブラケット５によって補強された状態になる。これにより、天板側ブラケット６２を天板２に固定している３本の固定ネジ６５に緩みが生ずることを防止あるいは抑制でき、折り畳み脚付きテーブル１の耐久性を向上させることができる。
【００２６】
また、図４から分かるように、既存の折り畳み脚付きテーブル１の蝶番６の天板側ブラケット６２の上に重ね合わせた状態に補強用ブラケット５を取付け、４本の固定ネジ８によって補強用ブラケット５を天板裏面２１に固定することができる。このように、既存の折り畳み脚付きテーブル１における蝶番６の天板２に対する取付け部分の補強も簡単に行うことが可能である。
【符号の説明】
【００２７】
１    折り畳み脚付きテーブル
２    天板
３    脚
４    脚保持具
５    補強用ブラケット
６    蝶番
７    幕板
８    固定ネジ
２１  天板裏面
３１  前側縦枠材
３１ａ  上端部分
３２  後側縦枠材
３２ａ  上端部分
３３  上側連結枠材
３４  下側連結枠材
４１  支持ブラケット
４２  支軸
４３  フック
４４  引張コイルバネ
４５  操作部
５１  ネジ挿通孔
６１  脚側ブラケット
６２  天板側ブラケット
６３  ヒンジ部
６４  固定ネジ
６５  固定ネジ
【図１】
0003187779.tif 000003
【図２】
0003187779.tif 000004
【図３】
0003187779.tif 000005
【図４】
0003187779.tif 000006